Podtech/llm-jp-corpus-v4-ja_patent huggingface dataset:
(57)【要約】【課題】電話に出たときや電話をかけるとき、周りのリモコンテレビなどの視聴覚響機器の音を簡単に消音・弱音できるようにリモコン式消音回路を組み込んだ電話機を提供する。【解決手段】本発明の電話機は、受話器を手に持ったときや、また、壁掛け式の電話機ではその受話器を保持器からはずしたりしたときに、内蔵したリモコン回路により消音の赤外線信号が発信されて、リモコン式のテレビやラジカセなどの視聴覚音響機器の音声が消されたり弱音化され、る。また、通話を終えて受話器をもどせば、元のような大きさの音声にもどすリモコン信号が発信されるという大変便利な電話機のひとつである。本発明は、電話機の通話時のフックの動きを凸型の板状カム等の動きで簡単確実に感知して消音信号を発信する仕組みなので、安価に製造できる利点がある。【選択図】図１
2010114865.tif 000002
【特許請求の範囲】
【請求項１】
テレビやラジカセなどの視聴覚音響機器の赤外線等の光線式リモコンの消音（ミューズ）信号発生回路及び同発信回路と、同信号の発信用発光ダイオードとを組み付けた電話機において、その電話機の受話器やポータブル形状の電話機本体を手にとったときに、受話器のフックやポータブル機本体のスイッチ部分に同期して作動するよう取り付けた凸型の板カム状の突起物が移動することによってマイクロスイッチなどのスイッチング素子を作動させて、赤外線消音信号（ミューズ信号）を発信させることで、リモコンテレビ等の視聴覚音響機器の音声を停止ないし弱音化させる電話機。
【発明の詳細な説明】
【発明の詳細な説明】
【技術分野】
【０００１】  本発明は、受話器やポータブル電話機本体を手に持って通話するとき、リモコン式テレビなどの視聴覚音響機器を消音モードにするリモコン回路を有する電話機に関するものである。
【背景技術】
【０００２】  家庭用や事務所用の卓上電話機や壁掛け電話機、ポータブル電話機は、その形状や無線式とか有線式を問わず、受話器やポータブル本体を手にとると通話ができるようになっており、携帯電話機が普及した現在でも重要な通信手段である。【０００３】  しかし、テレビを見ているときやラジオとかＢＧＭが流れているときに電話を受けたときは、音声ボリュームを小さくしたり、音の小さいほうを向いたりして、電話の相手が聞きやすいようにまた失礼がないようにする必要があった。これは、忙しいときには、大変わずらわしいことであった。【０００４】  とくに、テレビなどの視聴覚音響機器の近くに誰もいないときやリモコンが近くにないときは、電話の相手を待たせたり、テレビの大きな音量で通話がしにくかったりすることが多かったので、近年これを解消するためにテレビなどの音響機器のリモコン消音回路を内臓した電話機が発明され便利になってきていた。しかし、回路や機構が複雑で高額な電話機となるため、便利な割には十分に普及していない。（特許文献１，２，３，４，５）
【特許文献１】特開２００１−３６６１６号公報
【特許文献２】特開２００４−１７９９６２号公報
【特許文献３】実用新案登録第３０９２８７０号
【特許文献４】実開平７−３３０５３号公報
【特許文献５】実開平１−１４３５４５号公報
【発明の表示】
【発明が解決しようとする課題】
【０００５】  発明が解決しようとする問題点は、電話の通話中テレビなどの視聴覚音響機器を自動的に消音ないしは弱音にするような赤外線式消音リモコン回路を内臓した電話機は便利ではあるが、通話を確認するための通話信号検出回路や通話中を確定するためのメカニズムが複雑となるために、電話機として相当に高額なものとなってしまっていることである。
【課題を解決するための手段】
【０００６】  本発明は、これまでのリモコン消音回路を内蔵していた電話機では、その電話機を動作させるために複雑なスイッッチング回路や機構が不可欠であるという問題点を改善したもので、図１のように電話機が通話中である状態を確認するメカニズムを非常に簡単なものにしており、電話機の受話器をかけるフック１に取り付けた板カム様の突起物（凸型部品）２が、フックの動きと連動して動いてマイクロスイッチ等のスイッチング素子３をＯＮ−ＯＦＦさせるだけの非常にシンプルで確実な機構にしているところである。したがってこの発明のスイッチングメカニズムを使えば、電話の通話中だけに限ってテレビなどの音響機器を自動的にリモコン消音できる電話機が、非常に安価に製作できることになり、便利な電話機として今後の普及が期待できる。
【発明の効果】
【０００７】  本発明の電話機は、受話器を手に持ったり、壁掛け式電話機の受話器をその保持部からはずしたりしたとき、または、ポータブル電話機を持ち上げたとき、それぞれのタイプの電話機は、通話中であることを本発明のような簡単なスイッチングメカニズムで感知作動し、消音・弱音の赤外線信号を発信して、リモコン式のテレビやラジカセなどの音響機器の音声を消したり弱めたりすることができる。さらに、通話が終わって受話器等をもどせば簡単にまたもとのように音声が出るようになる。このような簡単で正確なメカニズムが本発明の電話機の消音リモコン装置の特徴なので、今後の普及で、家庭でも事務所でも、電話機をテレビなどの近くにおいているところで使うときは大変便利になると考える。また、電話の相手にテレビなどの音声が聞こえる失礼もおきないことになる。
【発明を実施するための最良の形態】
【０００８】  本発明のスイッチングの方法ならば、テレビやラジカセ等の視聴覚音響機器を視聴しているときに電話がかかってきた場合、視聴しているリモコンテレビ等の視聴覚音響機器のボリュームを下げたり、音声を停止させたりするためにわざわざスイッチを押さなくてもテレビリモコン回路が自動的に作動して、テレビ音声を消音（ミュート）・弱音にすることができる、非常に簡単で優れた仕組みができた。
【実施例】
【０００９】  まず、電話機の受話器保持部のフック１にマイクロスイッチなどのスイッチング素子３を設置しておく。受話器を手に持った通話中のときフック１が上がると凸型の突起をもった板カム状の摺動部品２が連動して上がってスイッチング素子がＯＦＦ→ＯＮ→ＯＦＦと一度だけリモコン消音回路のトリガー（起動端子）を通電状態（ＯＮ）にするので、視聴覚音響機器を消音したり弱音にしたりする赤外線リモコン式消音信号発生回路が作動して消音信号を一回発信して、音響機器を消音・弱音状態にさせる。【００１０】  また、通話後には、受話器を電話機（保持部）に戻すと再度スイッチング素子がＯＦＦ→ＯＮ→ＯＦＦをもう一度だけくりかえして、テレビ等の視聴覚音声機器の音声が復帰し、もとの音量で聞こえるようになる。
【図面の簡単な説明】
【００１１】
【図１】リモコンテレビの消音回路のついた電話機のフックに取り付けたスイッチング素子の起動の様子を示した図
【図２】リモコンテレビの消音回路のついた電話機のフックに取り付けたスイッチング素子の復動の様子を示した図
【符号の説明】
【００１１】１  電話機の受話器フック
２  マイクロスイッチなどのスイッチング素子
３  凸型の突起をもった板カム状の摺動部品
【図１】
2010114865.tif 000003
【図２】
2010114865.tif 000004
(57)【要約】【課題】屋内の灯りによる集客効果を発揮することができ、しかも、それをコスト的に有利に実現することができる天井取付け式ライン形ＬＥＤ照明構造を提供する。【解決手段】天井部において、水平方向に直線ライン状に列設されて床面側を照らす照明用のＬＥＤ光源４…の群が備えられ、該ＬＥＤ光源４…の群の下方に隣り合って、ＬＥＤ光源４の列設方向に向けられた直管形蛍光管擬似体３が設けられ、該直管形蛍光管擬似体３は、ＬＥＤ光源４…の群の光を受けて側面部３ａが発光する導光材からなっている。【選択図】      図１
2010177141.tif 000002
【特許請求の範囲】
【請求項１】
天井部において、水平方向に直線ライン状に列設されて床面側を照らす照明用のＬＥＤ光源群が備えられ、該ＬＥＤ光源群の下方に隣り合って、ＬＥＤ光源の列設方向に向けられた直管形蛍光管擬似体が設けられ、該直管形蛍光管擬似体は、ＬＥＤ光源群の光を受けて側面部が発光する導光材からなっていることを特徴とする天井取付け式ライン形ＬＥＤ照明構造。
【発明の詳細な説明】
【技術分野】
【０００１】
本発明は、天井取付け式ライン形ＬＥＤ照明構造に関する。
【背景技術】
【０００２】
白色ＬＥＤの実用化に伴い、ＬＥＤを、屋内外の照明に用いるための試みが種々行われている。
【先行技術文献】
【特許文献】
【０００３】
【特許文献１】特開２００７−１６５０５１号公報
【発明の概要】
【発明が解決しようとする課題】
【０００４】
しかしながら、ＬＥＤの光源から発せられる光には、指向性があることから、蛍光灯による照明では問題とならないことが、ＬＥＤを用いた照明では問題となることがある。
【０００５】
そのような問題の一つとして、例えばコンビニエンスストア等の店舗では、屋内の天井面に直管形蛍光管の光を設置している場合には、該蛍光管はその長手方向と直交する全方向に光を放射するので、特に、夕刻や夜間、明け方においては、店舗内の蛍光灯の灯りが店舗の外にいる人の目にとまり、それが集客効果を発揮するとされているが、二酸化炭素削減の見地から、上記の直管形蛍光管を、水平方向に直線ライン状に列設されて床面側を照らす照明用のＬＥＤ光源群で置き換えると、ＬＥＤ光源には、上記のように、指向性があることから、店舗内のＬＥＤ光源群が店舗の外に放射されにくく、そのため、直管形蛍光管の場合のような集客効果を期待することができなくなってしまうという問題を生じる。
【０００６】
特に、街並みとの関係で光害が問題とならないような場合には、店舗内の光源を店舗外から見えるようにして集客効果を維持したいという要請が強い。
【０００７】
そこで、ＬＥＤ光源を店舗外に向けて設置することも考えられるが、それでは、それ用のＬＥＤ光源が必要となってコストが高くついてしまうという問題がある。
【０００８】
本発明は、上記のような問題点に鑑み、屋内の灯りによる集客効果を発揮することができ、しかも、それをコスト的に有利に実現することができる天井取付け式ライン形ＬＥＤ照明構造を提供することを課題とする。
【課題を解決するための手段】
【０００９】
上記の課題は、天井部において、水平方向に直線ライン状に列設されて床面側を照らす照明用のＬＥＤ光源群が備えられ、該ＬＥＤ光源群の下方に隣り合って、ＬＥＤ光源の列設方向に向けられた直管形蛍光管擬似体が設けられ、該直管形蛍光管擬似体は、ＬＥＤ光源群の光を受けて側面部が発光する導光材からなっていることを特徴とする天井取付け式ライン形ＬＥＤ照明構造によって解決される。
【００１０】
この構造では、ＬＥＤ光源群を点灯すると、その光が、直管形蛍光管擬似体を構成する導光材に入射して、該直管形蛍光管擬似体の側面部が発光するので、屋外にいる人は、その発光を屋内の灯りと認識して、屋内の灯りによる集客効果を発揮することができる。
【００１１】
しかも、導光材からなる直管形蛍光管擬似体を、床面側を照らす照明用のＬＥＤ光源群と組み合わせただけのものであるから、集客効果をコスト的に発揮することができる。
【発明の効果】
【００１２】
本発明の天井取付け式ライン形ＬＥＤ照明構造は、以上のとおりのものであるから、屋内の灯りによる集客効果を発揮することができ、しかも、それをコスト的に有利に実現することができる。
【図面の簡単な説明】
【００１３】
【図１】実施形態の天井取付け式ライン形ＬＥＤ照明構造を示すもので、図（イ）は部分断面正面図、図（ロ）は照明器具の下面図、図（ハ）は図（イ）のＩ−Ｉ線断面矢視図、図（ニ）は図（ハ）の要部拡大図である。
【発明を実施するための形態】
【００１４】
次に、本発明の実施形態を図面に基づいて説明する。
【００１５】
図１に示す実施形態の天井取付け式ライン形ＬＥＤ照明構造において、１は天井面、２は照明器具、３は直管形蛍光管擬似体であり、照明器具２は、方形立体状をしており、長手方向と直交する方向に屋外から店舗内をながめることができる開口部が存在するように、上面部が天井面１に沿わされて天井面１に下方突出状態に取り付けられて設置されている。
【００１６】
照明器具２には、天井面１と平行な水平方向であって該照明器具２の長手方向に直線ライン状に列設された照明用ＬＥＤ光源４…の群が下面部から床面側を照らすように備えられている。なお、各ＬＥＤ光源４…は、表面実装型などからなるＬＥＤパッケージによって構成されている。
【００１７】
そして、上記の照明器具２におけるＬＥＤ光源４…の群の下方に隣り合って、直管形蛍光管擬似体３が、ＬＥＤ光源４…の列設方向に向けられて備えられている。該直管形蛍光管擬似体３は、帯板状をしたアクリル板などの導光材からなっていて、ＬＥＤ光源４…の群の光を受けて側面部３ａが発光するようになされており、該発光側面部３ａを、屋外から開口部を通じて目視できるようになされている。
【００１８】
このように、上記天井取付け式ライン形ＬＥＤ照明構造によれば、ＬＥＤ光源４…の群を点灯すると、その光が、直管形蛍光管擬似体を構成する導光材に入射して、該直管形蛍光管擬似体３の側面部３ａが発光するので、屋外にいる人は、その発光を屋内の灯りと認識して、屋内の灯りによる集客効果を発揮することができる。しかも、導光材からなる直管形蛍光管擬似体３を、床面側を照らす照明用のＬＥＤ光源４…の群と組み合わせただけのものであるから、集客効果をコスト的に発揮することができる。
【００１９】
なお、照らす部分の明るさを調節することができるように、ＬＥＤ光源４…は、調光できるようになされているとよい。
【００２０】
以上に、本発明の実施形態を示したが、本発明はこれに限られるものではなく、発明思想を逸脱しない範囲で各種の変更が可能である。例えば、上記の実施形態では、直管形蛍光管擬似体３を構成する導光材が帯板状をしている場合を示したが、導光中に側方から見て、直管形蛍光管を直感させるような形態をしたものであればよい。また、両側方において発光させるようにすることも可能であり、その場合には、一つの導光材を用いて直管形蛍光管擬似体を構成してもよいし、二つの導光材を用いて直管形蛍光管擬似体を構成するようにしてもよい。
【符号の説明】
【００２１】
１…天井面
２…照明器具
３…直管形蛍光管擬似体
３ａ…側面部
４…ＬＥＤ光源
【図１】
2010177141.tif 000003
(57)【要約】【課題】既存のエッチングピットの破壊を防ぐことにより、静電容量の向上を図ることができる電解コンデンサ用エッチング箔の製造方法を提供する。【解決手段】アルミニウム箔に対して、塩素イオンを含むエッチング液中でのエッチング工程を複数段有する、電解コンデンサ用エッチング箔の製造方法において、各段のエッチング工程の間に、濃度１０．０〜６０．０ｗｔ％のエチレングリコール水溶液に浸漬させる浸漬工程を設けたことを特徴とする。【選択図】なし【特許請求の範囲】
【請求項１】
アルミニウム箔に対して、塩素イオンを含むエッチング液中でのエッチング工程を複数段有する電解コンデンサ用エッチング箔の製造方法において、
各段のエッチング工程の間に、エチレングリコール水溶液に浸漬させる浸漬工程を設けたことを特徴とする電解コンデンサ用エッチング箔の製造方法。
【請求項２】
前記エチレングリコール水溶液の濃度が、１０．０〜６０．０ｗｔ％であることを特徴とする請求項１に記載の電解コンデンサ用エッチング箔の製造方法。
【発明の詳細な説明】
【技術分野】
【０００１】
本発明は、電解コンデンサ用エッチング箔の製造方法に関するものであり、特に、陰極用エッチング箔または低圧陽極用エッチング箔の製造方法に関するものである。
【背景技術】
【０００２】
電解コンデンサ用電極箔を製造するにあたっては、塩素イオンを含むエッチング液中でアルミニウム箔にエッチング工程を行い、アルミニウム箔の有効表面積を拡大する。
ここで、エッチング液では、塩酸の他、硫酸、リン酸、硝酸等が配合されることもある（例えば、非特許文献１参照）。
【０００３】
上記エッチング工程では、生産性向上のため、数段でエッチングを行うことが一般的であり、各段の間は、気中または水中に晒された状態となっている。
【先行技術文献】
【非特許文献】
【０００４】
【非特許文献１】永田伊佐也著、「電解液陰極アルミニウム電解コンデンサ」、日本蓄電器工業株式会社、平成９年２月２４日、第２版、Ｐ２３６−２４０
【発明の概要】
【発明が解決しようとする課題】
【０００５】
近年、アルミニウム材料の有効利用や電解コンデンサの更なる小形化に対応するために、高倍率エッチングが行われており、エッチング工程における各段の間の数、所要時間が増える傾向にある。
上記のエッチング工程で、各段の間が大気中の場合、前段で付着したエッチング液によって生成したエッチングピットの表面活性が高まり、後段のエッチング時に前段で生成したエッチングピットが部分的に破壊されることが確認されている。各段の間に水洗を設けることで、エッチングピットの破壊を低減することが可能であるが、この破壊をさらに低減するには十分なものではなかった。
【０００６】
以上の問題点に鑑みて、本発明の課題は、前段で生成したエッチングピットを保護することで後段のエッチングによるエッチングピットの破壊を十分に抑制することを目的とした電解コンデンサ用エッチング箔の製造方法を提供することにある。
【課題を解決するための手段】
【０００７】
上記課題を解決するために、本発明では、塩素イオンを含むエッチング液中でのエッチング工程を複数段有する電解コンデンサ用エッチング箔の製造方法において、各段のエッチング工程の間に、エチレングリコール水溶液に浸漬させる浸漬工程を設けたことを特徴とする。
【０００８】
本発明において、浸漬させるエチレングリコール水溶液の濃度は、１０．０〜６０．０ｗｔ％であることが好ましい。
【発明の効果】
【０００９】
本発明では、エッチングの各段の間にエチレングリコール水溶液の浸漬を行うことにより、前段で生成したエッチングピット表面に保護皮膜が形成され、後段のエッチング時に既存のエッチングピットの破壊を防ぐことができ、静電容量を向上することができると考えられる。
【発明を実施するための形態】
【００１０】
以下、実施例に基づいて本発明を具体的に説明する。
本発明を評価するにあたっては、以下の実施例のいずれにおいても、アルミニウム原箔として、純度９９．８％、厚さ５０μｍの陰極箔用のものを使用し、前処理工程および水洗工程を経てエッチング工程を行った。
【００１１】
エッチング工程では、塩酸１０．０ｗｔ％、リン酸２．０ｗｔ％、硝酸２．０ｗｔ％、硫酸１．０ｗｔ％を配合したエッチング液を用い、エッチング液の温度を４０℃に設定し、交流（電圧波形：正弦波、周波数：４０Ｈｚ、電流密度：３００ｍＡ／ｃｍ2）を印加した。
【００１２】
上記の方法で電解コンデンサ用エッチング箔を製造するにあたり、本発明の実施例では、エッチングの段数を２段とし、前段と後段の間に、エチレングリコール水溶液に浸漬させる浸漬工程を設けた。
【００１３】
このエチレングリコール水溶液の濃度は、表１に示すように、実施例１では５．０ｗｔ％、実施例２では１０．０ｗｔ％、実施例３では２０．０ｗｔ％、実施例４では４０．０ｗｔ％、実施例５では６０．０ｗｔ％、実施例６では８０．０ｗｔ％、実施例７では１００．０ｗｔ％である。浸漬時間は、６０秒とし、液温は室温とした。これらに対して、純水に浸漬させたものを従来例とした。
【００１４】
【表１】
2010177412.tif 000002
【００１５】
このような方法で製造したエッチング箔について、未化成静電容量を測定し、従来例と比較した結果を表１に示す。なお、表１内の数値は、純水に浸漬させた従来例の未化成静電容量を１００％としたときの増加率で表した。
【００１６】
表１より明らかなように、エッチングの前段と後段との間にエチレングリコール水溶液の浸漬工程を設けた実施例１〜７では、従来例と比較して未化成静電容量が増加しているが、その中でも特に、エチレングリコール濃度を１０．０〜６０．０ｗｔ％とした実施例２〜５は、未化成容量が４．３〜４．９％増加しており、改善効果が著しいことが分かる。
このように本発明の実施例では、エッチングの前段と後段との間にエチレングリコール水溶液の浸漬を行うことで、前段で生成したエッチングピット表面に保護皮膜が形成され、後段でのエッチングで、既存エッチングピットの破壊を抑制することができた。
【００１７】
また、上記実施例では陰極箔を例に説明したが、陽極箔のエッチング工程に本発明を適用してもよい。
【００１８】
そして、上記実施例では、エッチングを前段／後段の２段とし、その間にエチレングリコール水溶液への浸漬工程を挿入する製造方法としたが、当該浸漬回数は、エッチングの段数に応じて適宜、増やすことができる。
(57)【要約】      （修正有）【課題】特定の狭い場所、干渉物のある場所での電動ドリルドライバーでのボルト、ナット、の締め付け及び緩め時、作業効率が上がるよう、出力される角度が９０°（Ｌ字方向）の電動ドリルドライバー取り付け用回転工具を提供する。【解決手段】ギヤボックス１の側面に柄５を取り付けるため両端にネジ穴を切ったパイプを溶接し固定する。その中には、出力ギヤ本体軸３、ベアリング大１４、フランジ付きベアリング１３、ボックスの蓋１１、４、ネジ１２、２を設け、ギヤボックス１と一体の両端にネジ穴を切ったパイプには、回転軸と一体のギヤ９、ベアリング１５、１６、柄５、ねじ込み式ベアリング押さえ６、１０、ジョイント７、アダプタービット８を設けた物品を組み合わせた電動ドリルドライバー取り付け用回転工具。【選択図】図２
2010173058.tif 000002
【特許請求の範囲】
【請求項１】
ギヤボックス（１）の側面に柄（５）を取り付けるため、両端にネジ穴を切って、ギヤとギヤが噛み合う位置を削り取ったパイプを溶接した物を設け、回転軸と一体のギヤ（９）を挿入し、ベアリング（１５）、（１７）を回転軸と一体のギヤ（９）の両端に設け、一方には柄（５）をねじ込み、ベアリング（１６）、ジョイント（７）、ベアリング押さえ（６）、（１０）、アダプタービット（８）を設け組み合わせる。
ギヤボックス（１）の中には、ベアリング大（１４）、出力ギヤ本体軸（３）、フランジ付きベアリング（１３）を設け、ボックスの蓋（１１）、（４）、ネジ（１２）、（２）を組み合わせた物品を設けた電動ドリルドライバー取り付け用回転工具。
【発明の詳細な説明】
【技術分野】
【０００１】  この発明は、電動ドリルドライバーや電動インパクトドライバーの回転部分に、工具を取り付ける電動ドリルドライバー取り付け用回転工具に関するものである。
【背景技術】
【０００２】  従来、電動ドリルドライバーや電動インパクトドライバーを使用し、ボルト、ナットや＋、−ネジの締め付け及び緩めるとき、専用アダプターをセットし、対象物に対し正面に構えて垂直に向け作業していた。
【発明の開示】
【発明が解決しようとする課題】
【０００３】  これは、次のような欠点があった。
ボルト、ナットや＋、−ネジの締め付け及び緩め時、対象物に対し干渉物などが正面に平行にあり、電動ドリルドライバー本体が垂直に入らなく、ユニバーサルジョイントなどを取り付け使うには角度がきつすぎ使えない狭い場所での作業。
本発明は、以上の欠点を補うためになされたものである。
【課題を解決するための手段】
【０００４】  ギヤボックス（１）の側面に柄（５）を取り付けるため両端にネジ穴を切ったパイプを溶接し固定する、その中には、出力ギヤ本体軸（３）、ベアリング大（１４）、フランジ付きベアリング（１３）、ボックスの蓋（１１）、（４）、ネジ（１２）、（２）を組み合わせ、ギヤボックス（１）と一体の両端にネジ穴を切ったパイプには、回転軸と一体のギヤ（９）、ベアリング（１５）、（１６）、（１７）、柄（５）、ねじ込み式ベアリング押さえ（６）、（１０）、ジョイント（７）、アダプタービット（８）を組み合わせた物品を設ける。
本発明は、以上の構成よりなる電動ドリルドライバー取り付け用回転工具である。
【発明の効果】
【０００５】  工具取り付け時、出力される角度が９０°、Ｌ字方向なので、締め付け及び緩める対象物に対し、本発明品取り付け後、電動ドリルドライバーを構える向きが平行方向になるので特定の狭い、干渉物のある場所での作業が可能になる。
ギヤの構造上、入力される回転速度より出力される回転速度は遅くなるが、締め付け及び緩められる力は強くなる。
【発明を実施するための最良の形態】
【０００６】  以下、本発明を実施するための最良の形態について説明する。
ギヤボックス（１）の側面に柄（５）を取り付けるため、両端にネジ穴を切って、ギヤとギヤが噛み合う位置を削り取ったパイプを溶接し固定する。
パイプに柄（５）を取り付ける方向から回転軸と一体のギヤ（９）（以後回転軸と称す）を挿入し、柄（５）を取り付ける方向の逆側から回転軸（９）の先端が出たら、ベアリング（１７）を通し、ねじ込み式ベアリング押さえ（１０）でねじ込み、逆側の回転軸（９）の先からベアリング（１５）を通し、柄（５）のネジ山が切ってある側から回転軸（９）を通しねじ込み、柄（５）の先、ねじ込んだ方の逆側に、ベアリング（１６）を回転軸（９）に通しジョイント（７）を取り付け、ねじ込み式ベアリング押さえ（６）をねじ込みアダプタービット（８）を取り付ける。
ギヤボックス（１）の下側から、ベアリング大（１４）を取り付け、ボックスの蓋（４）をネジ（２）止めし、上側から出力ギヤ本体軸（３）、フランジ付きベアリング（１３）、ボックスの蓋（１１）、ネジ（１２）の順に物品を組み合わせる。
本発明品は以上の構造である。
これを使用するときは、本発明品の柄と電動ドリルドライバーをしっかりと持ち、ボルト、ナット、＋、−ネジ等の締め付け及び緩め作業をする。
【実施例】
【０００７】  特定の狭い場所や干渉物のある場所での、ボルト、ナットの緩め時、本発明品に緩めたい物のサイズに合うソケットを取り付け、柄の先から突き出たジョイント部分に、電動工具に合ったアダプタービットと、電動ドリルドライバーを取り付け、柄の部分と電動ドリルドライバーをしっかり持って、緩めたい物にセットし作業する。【０００８】  特定の狭い場所や干渉物のある場所での＋、−ネジ等の締め付け及び緩め作業の場合は、ドライバービットを取り付けられるソケットとその場に応じた長さのドライバービットを本発明品に取り付け、柄の先から突き出たジョイント部分に、電動工具に合ったアダプタービットと、電動ドリルドライバーを取り付け、柄の部分と電動ドリルドライバーをしっかり持って、締め付け及び緩めたい物にセットし作業する。
【図面の簡単な説明】
【０００９】
【図１】本発明の斜視図である。
【図２】本発明の側面の断面図である。
【図３】本発明の正面の断面図である。
【図４】本発明のギヤボックス側面と柄の断面図を拡大した説明図である。
【図５】本発明の分解図である。
【図６】本発明の側面図である。
【図７】本発明の底面図である。
【符号の説明】
【００１１】  １  ギヤボックス
２  ネジ
３  出力ギヤ本体軸
４  ボックスの蓋
５  柄
６  ねじ込み式ベアリング押さえ
７  ジョイント
８  アダプタービット
９  回転軸と一体のギヤ
１０  ねじ込み式ベアリング押さえ
１１  ボックスの蓋
１２  ネジ
１３  フランジ付きベアリング
１４  ベアリング大
１５  ベアリング
１６  ベアリング
１７  ベアリング
【図１】
2010173058.tif 000003
【図２】
2010173058.tif 000004
【図３】
2010173058.tif 000005
【図４】
2010173058.tif 000006
【図５】
2010173058.tif 000007
【図６】
2010173058.tif 000008
【図７】
2010173058.tif 000009
(57)【要約】【課題】既に自動車用サンバイザーに眼鏡を取り付けるための保持具が考案されているが、これらは複数の部品を必要とするため、製造コストがかかり取り付けを難しくしているため単純な一体型の形状にした保持具を提供する。【解決手段】サンバイザーと眼鏡に対してはさむ部分を設けた一体型眼鏡保持具により、それぞれをはさんで保持する事によって上記課題への解決手段とする。【選択図】図１
2010173627.tif 000002
【特許請求の範囲】
【請求項１】
自動車用サンバイザーと眼鏡に対してはさむ部分を設けた本体によりそれぞれをはさむことによって保持する事を特徴とした一体型眼鏡保持具。
【発明の詳細な説明】
【技術分野】
【０００１】本発明は自動車用サンバイザーに眼鏡を保持させるための保持具に関するものである。
【背景技術】
【０００２】従来の保持具にはサンバイザーに埋め込む方式がある（例えば、特許文献１参照。）。また多目的に使用される物がある（例えば、特許文献２参照。）。また胸ポケットに使用する物がある（例えば、特許文献３参照。）。
【先行技術文献】
【特許文献】
【０００３】
【特許文献１】特開平１０−１６６５０号公報（第４項、図１）
【特許文献２】特開平１０−２２６２７９号公報（第４項、図１）
【特許文献３】意匠登録３９７０４６号公報（使用状態参考図）
【発明の概要】
【発明が解決しようとする課題】
【０００４】既に対象物に眼鏡を取り付けるための保持具が考案されているが、これらは複数の部品を必要としているため多額の製造コストがかかる。また構造の複雑さから保持具の取り付けが困難であると考えられる。
【課題を解決するための手段】
【０００５】自動車用サンバイザーと眼鏡に対してはさむ部分を設けた一体型眼鏡保持具により、それぞれをはさんで保持する事によって上記の課題を解決する手段とする。
【発明の効果】
【０００６】保持具本体が単純な一体型の形状である事から製造工程の短縮、製造コスト削減、保持具本体と眼鏡の取り付け、運転中の眼鏡使用としまいこみ、保持具本体と眼鏡を取り付けたままでサンバイザーを使用して、保持具本体を取り外すまで簡単におこなえる事が効果として挙げられる。
【図面の簡単な説明】
【０００７】
【図１】本発明の一実施例による全体の斜視図である。
【図２】本発明の一実施例による保持具本体の斜視図である。
【図３】本発明の一実施例によるサンバイザー使用時の斜視図である。
【発明を実施するための形態】
【０００８】保持具本体と眼鏡の取り付けはサンバイザーを使用していない状態でサンバイザーの下側の端から、保持具本体のサンバイザーをはさむ部分を、眼鏡をはさむ部分を手前にしてはさみこむ。次に眼鏡を折りたたんだままブリッジ部分を保持具本体の眼鏡をはさむ部分に差し込む。
【０００９】運転中にサンバイザーを使用する時は保持具本体、眼鏡を外さずにそのまま使用できる。
【００１０】眼鏡を使用する時は片手で容易に取り外す。
【符号の説明】
【００１１】１  保持具本体
２  サンバイザーをはさむ部分
３  眼鏡をはさむ部分
４  サンバイザー
５  眼鏡
６  ブリッジ
【図１】
2010173627.tif 000003
【図２】
2010173627.tif 000004
【図３】
2010173627.tif 000005
(57)【要約】【課題】後車輪を前車輪側に移動して折畳む自転車において、折畳んだ状態でもハンドルの幅はそのままであり、小さく収納する事が出来ない。【解決手段】フロントフォークＡの肩部２からホーク足３を、後輪タイヤが接触しない範囲以上に前方に形成してなる自転車用フロントフォークに関する。【選択図】図１
2010173624.tif 000002
【特許請求の範囲】
【請求項１】
ホーク足を前方に向けてタイヤ幅以上に前方に位置して形成したことを特徴とする、自転車用フロントフォーク。
【発明の詳細な説明】
【技術分野】
【０００１】本発明は、実用新案  昭和２６年ー６６２４  自転車フレームなど後車輪を前車輪側に移動して折畳む自転車において、フロントフォークの肩部からホーク足を、後輪タイヤが接触しない範囲以上に前方に形成してなる自転車用フロントフォークに関する。
【背景技術】
【０００２】実用新案  昭和２６年ー６６２４  自転車フレームや特許第３４８４６７１号  緩衝装置付き折タタミ自転車など後車輪をフロントフォーク側に移動して折畳む自転車においては、後車輪がフロントフォーク側に移動する、このスペースを確保するには、前車輪をフロントフォークより外してこの部分に後車輪を入れる方法がある。【０００３】この他に後車輪の回転軸をフレーム中心線に直角ではなく、後車輪が前車輪に当たらない様に、回転軸に角度を持たせた構造がある。
【特許文献１】実用新案  昭和２６年ー６６２４  自転車フレーム
【特許文献２】特許第３４８４６７１号  緩衝装置付き折タタミ自転車フレーム
【発明の開示】
【発明が解決しようとする課題】
【０００４】しかしながら、これらの機構にでは、ハンドルを車体の中心線に対して直角又は若干切れた角度でしか折畳む事が出来ず、折畳んだ状態でもハンドルの幅はそのままであり、小さく収納する事が出来ない、この対策として分割可能なハンドルや折畳み可能なハンドルを装備している。【０００５】以上の課題を解決するために、前車輪を外せば、ハンドルを車体中心線に平行して、後車輪が畳みこまれる自転車を提供する。
【課題を解決するための手段】
【０００６】自転車用フロントフォークにおいてホーク足を、後輪タイヤが接触しない範囲以上に前方に形成する。
【発明の効果】
【０００７】本発明に係る自転車用フロントフォークによれば、ハンドルを車体の中心線と平行に切れば、タイヤ幅以上に前方に位置して形成されたホーク足は、タイヤ幅以上車体の中心線からハンドルを切った方向にずれて、後車輪がこのスペースに入り込むので、ハンドルは車体中心線に平行に位置して折畳むので、折畳んだ時の幅を小さく収納出来る。
【発明を実施するための最良の形態】
【０００８】本発明に係る自転車用フロントフォークＡ及びこれを備えた自転車Ｂを図面とともに説明する。【０００９】図１は、本発明に係る自転車用フロントフォークＡ及びこれを備えた自転車Ｂの一実施例を示す全体正面図であり、図２（ａ）、（ｂ）は、図２（ａ）、（ｂ）は、図１で示した自転車用フロントフォークＡの正面図及び側面図である。【００１０】この自転車用フロントフォークＡは、上端がハンドル軸Ｈに連結され、且つ、下端を前輪Ｔの車軸に枢着してなり、具体的には、ハンドル軸Ｈに連結されるホークコラム１と、この下端にホーク肩２より左右に分岐したホーク足３、前輪Ｔの枢着するホークエンド４により構成される【００１１】本実施例ホーク肩２はホークコラム１の中心軸より後輪Ｋが、接触しない様に前方に突き出して形成する。【００１２】「実施形態の効果」
この実施形態によれば、ハンドルＨを車体の中心線と平行に切れば、後輪Ｋのタイヤ幅以上に前方に位置して形成されたホーク足３は、後輪Ｋのタイヤ幅以上に車体の中心線からハンドルＨを切った方向にずれて、このスペースに畳みこまれる後車Ｋが入り込むので、ハンドルＨを車体中心線に平行して折畳むので、折畳んだ時の幅を小さく収納出来る。【００１２】「他の実施形態」
ホーク肩２を用いずにホーク足３湾曲させてホークコラム１に接合した構造の自転車用ホークにおいても中心軸より後輪Ｋが接触しない様に前方に突き出して形成すれば、上記と同等の効果が得られる。
【図面の簡単な説明】
【００１３】
【図１】本発明に係る自転車用フロントフォーク及びこれを備えた自転車の実施例を示す全体側面図。
【図１】（ａ）は走行状態での全体側面図。
【図１】（ｂ）は前輪を外して、後輪を折込んだ状態での全体側面図。
【図２】（ａ）・（ｂ）は、図１で示した自転車用フロントフォークの正面図及び側面図。
【符号の説明】
【００１４】１はホークコラム
２はホーク肩
３はホーク足
４はホークエンド
Ａはフロントホーク
Ｂは自転車
Ｈはハンドルステム
Ｔは前輪
Ｋは後輪
【図１】
2010173624.tif 000003
【図２】
2010173624.tif 000004
【手続補正書】
【提出日】平成21年4月20日(2009.4.20)
【手続補正２】
【補正対象書類名】明細書
【補正対象項目名】００１３
【補正方法】変更
【補正の内容】
【００１３】
【図１】本発明に係る自転車用フロントフォーク及びこれを備えた自転車の実施例を示す、走行状態での全体側面図（ａ）、前輪を外して、後輪を折込んだ状態での全体側面図（ｂ）。
【図２】図１で示した自転車用フロントフォークの正面図（ｂ）及び側面図（ａ）。
(57)【要約】【課題】盗難を防止することが可能な容器を提供することにある。【解決手段】両端部が開口しこの開口部が封鎖可能な容器本体と、前記容器本体の開口部の対向する縁部に相互に前記開口部に向かって折り曲げ自在に設けられる一対の内蓋と、前記内蓋とは異なる縁部に前記開口部に向かって折り曲げ自在に設けられ前記一対の内蓋を覆う端部蓋とこの端部蓋の先端に折り曲げ自在に連接して前記開口部内に挿入される舌片とを有する端板とを備え、前記端板の舌片の両端部には、耳片が前記舌片の内面に向かって折り曲げ自在に連接され、前記耳片は、前記端板を前記開口部内に挿入される際に前記舌片の内面に向かって折り曲げられ挿入後に前記一対の内蓋の内面に引っ掛かり、前記端板が前記容器本体から抜き出せないように係止することを特徴とする。【選択図】    図１
2010173717.tif 000002
【特許請求の範囲】
【請求項１】
両端部が開口しこの開口部が封鎖可能な容器本体と、
前記容器本体の開口部の対向する縁部に相互に前記開口部に向かって折り曲げ自在に設けられる一対の内蓋と、
前記内蓋とは異なる縁部に前記開口部に向かって折り曲げ自在に設けられ前記一対の内蓋を覆う端部蓋とこの端部蓋の先端に折り曲げ自在に連接して前記開口部内に挿入される舌片とを有する端板と
を備え、
前記端板の舌片の両端部には、耳片が前記舌片の内面に向かって折り曲げ自在に連接され、
前記耳片は、前記端板を前記開口部内に挿入される際に前記舌片の内面に向かって折り曲げられ挿入後に前記一対の内蓋の内面に引っ掛かり、前記端板が前記容器本体から抜き出せないように係止する
ことを特徴とする容器。
【発明の詳細な説明】
【技術分野】
【０００１】
本発明は、例えば、化粧品、薬品、文房具などを収容する容器に関する。
【背景技術】
【０００２】
従来、この種の容器は、例えば、板紙、プラスチックなどの板材を矩形状の容器に折り上げ、容器の両端の開口部に開閉蓋を折り曲げ自在に取り付け、一方を開閉蓋で封鎖した後、開口部から例えば、化粧品、薬品、文房具などの商品を収納している。
【０００３】
これらの容器は、開閉蓋が自由に開閉できるので、顧客は容器の開閉蓋を開いて商品を取り出すことができる。
【発明の概要】
【発明が解決しようとする課題】
【０００４】
そのため、展示されてある容器の開閉蓋を開いて商品を取り出し、容器だけを元に戻されても、店員や販売員では容器中の商品が抜き取られていることを確認することができない。
【０００５】
本発明は、このような盗難を防止することが可能な容器を提供することにある。
【課題を解決するための手段】
【０００６】
請求項１の容器は、両端部が開口しこの開口部が封鎖可能な容器本体と、前記容器本体の開口部の対向する縁部に相互に前記開口部に向かって折り曲げ自在に設けられる一対の内蓋と、前記内蓋とは異なる縁部に前記開口部に向かって折り曲げ自在に設けられ前記一対の内蓋を覆う端部蓋とこの端部蓋の先端に折り曲げ自在に連接して前記開口部内に挿入される舌片とを有する端板とを備え、前記端板の舌片の両端部には、耳片が前記舌片の内面に向かって折り曲げ自在に連接され、前記耳片は、前記端板を前記開口部内に挿入される際に前記舌片の内面に向かって折り曲げられ挿入後に前記一対の内蓋の内面に引っ掛かり、前記端板が前記容器本体から抜き出せないように係止することを特徴とする。
【発明の効果】
【０００７】
本発明によれば、商品を収納した容器の端板を封鎖すると、舌片の耳片が内蓋の内側に引っ掛かって端板を開く方向に押し上げようとしても、端板の動きを阻止し、開くことができなくなり、内部の商品の抜き取りを確実に防止することができる。
【図面の簡単な説明】
【０００８】
【図１】本発明の実施形態に係る容器の展開図である。
【図２】組立手順を示す説明図である。
【発明を実施するための形態】
【０００９】
以下、本発明を図面に示す実施形態に基づいて説明する。
【００１０】
図１は、本発明の実施形態に係る容器の展開図である。
【００１１】
容器本体１は、通常の直方体形状の容器を構成する容器本体と同様に、４つの壁面を構成する側板２，３，４，５と、１つの側板２の両端に位置する端板６，７と、２つの側板３，４のそれぞれ両端に位置する内蓋８，９，１０，１１と、各端板６，７の端部に位置する舌片１２，１３と、各舌片１２，１３の両端に位置する三角形状の耳片１２ａ，１２ｂ，１３ａ，１３ｂとを有する。
【００１２】
側板５は、箱体を形成するために、側板３に接合するための糊付け片５ａを端部に有する。
【００１３】
また、内蓋８，９，１０，１１は、舌片１２，１３を差し込めるように、側板３，４の端部から容器本体１の板厚より少し大きめの間隔８ａ，９ａ，１０ａ，１１ａを開けている。つまり、内蓋８，９，１０，１１と、これらの側辺と対向する側板５の両端部との間に舌片１２，１３が差し込みやすくなるように隙間を形成している。
【００１４】
また、端板６，７と舌片１２，１３との間では、三角形状の耳片１２ａ，１２ｂ，１３ａ，１３ｂに連なるように、Ｕ字状の切り込み６ａ，６ｂ，７ａ，７ｂが設けられている。そして、三角形状の耳片１２ａ，１２ｂ，１３ａ，１３ｂの折り曲げ部は、このＵ字状の切り込み６ａ，６ｂ，７ａ，７ｂの端部から軸線方向に設けられている。
【００１５】
このように構成された本実施形態に係る容器の作用を説明する。
【００１６】
一方の端部を封鎖し、例えば、図２に示すように、商品（図示せず）を収納した後、内蓋８，１０を容器の開口部側に向かって折り曲げる。
【００１７】
次いで、図２（１）に示すように、端板６を容器の開口端側に向かって折り曲げ、耳片１２ａ，１２ｂを舌片１２の内面側において向き合うように折り曲げて起こし、舌片１２を端板６と同じ方向に向き合うように折り曲げる。
【００１８】
次いで、図２（２）（３）に示すように、舌片１２を内蓋８，１０の側部側に形成された間隔８ａ，１０ａに差し込む。この際、耳片１２ａ，１２ｂは、内蓋８，１０の壁面を摺動しながら容器の開口部内に差し込まれ、切り込み６ａ，６ｂが内蓋８，１０を通り過ぎると、板材のスプリングバックと側板３，４による拘束力によって元の形に戻り、切り込み６ａ，６ｂが内蓋８，１０の内面側に引っ掛かる。
【００１９】
このようにして、舌片１２および耳片１２ａ，１２ｂが容器の開口部内に挿入されると、端板６が容器の開口部から外れなくなる。
【００２０】
無理に端板６を引っ張ると、端板６などが壊れてしまい、再び容器の開口部を元のように封鎖することができなくなる。
【００２１】
その結果、容器が置かれていても、内容物が抜き取られていることを容易に確認することが可能となる。
【符号の説明】
【００２２】
１  容器本体
２，３，４，５  側板
６，７  端板
６ａ，６ｂ，７ａ，７ｂ  切り込み
８，９，１０，１１  内蓋
１２，１３  舌片
１２ａ，１２ｂ，１３ａ，１３ｂ  耳片
８ａ，９ａ，１０ａ，１１ａ  間隔
【図１】
2010173717.tif 000003
【図２】
2010173717.tif 000004
(57)【要約】【課題】  禁煙達成が難しいのは、禁煙意欲を持続しながら、自分との戦いのほかに時間との戦いもあるからだ。しかしこれまでの禁煙方法では時間との戦いを見つめていない。このことにより禁煙できない人も大勢いた。【解決手段】  その為に禁煙達成希望者専用のトレーニングルームとして将来にわたり禁煙意欲を持続できる雰囲気（家庭的雰囲気）を持ち、禁煙達成のために時間（宿泊施設や濃縮酸素）というファクターを組み込んだ。【選択図】  なし【特許請求の範囲】
【請求項１】
禁煙達成希望者専用に、構造物として宿泊施設を伴うことを特徴とした禁煙トレーニングルーム。
【請求項２】
請求項１記載の禁煙トレーニングルームは家庭的雰囲気を持ち、濃縮酸素を使用することを特徴とするトレーニングルーム。
【発明の詳細な説明】
【技術分野】
【０００１】
本発明は、禁煙達成が目的のトレーニングルームに関するものである。
【背景技術】
【０００２】
これまで禁煙といえば、何らかの方法論（本など）であったり、禁煙グッズ（アイテム）であったりしたが、それだけでは禁煙達成ができない人も大勢いた。
【０００３】
そこで解決策として禁煙達成希望者に特別な部屋（禁煙達成のためのトレーニングルーム）を提供する。
【先行技術文献】
【特許文献】
【０００４】
【特許文献１】特開２００１−２３２９７５号公報
【特許文献２】特開２００８−２９６０５７号公報
【発明の概要】
【発明が解決しようとする課題】
【０００５】
解決しようとする問題点は、禁煙が時間との戦いであるにもかかわらず、これまでの禁煙方法は、禁煙達成のために時間というファクターが盛り込まれていない部分だ。
【課題を解決するための手段】
【０００６】
上記の課題を解決するために、本発明は特別な構造物や特別な雰囲気、加えて濃縮酸素器を持つ禁煙達成のためのトレーニングルームである。
【０００７】
特別な構造物とは禁煙希望者が宿泊できる部屋と施設である。これにより禁煙希望者は数日間に渡り、連続して禁煙達成のためのトレーニングをすることができ、その目的に大きく近づくことができる。
特別な雰囲気とは家庭的な雰囲気のことである。家庭的な雰囲気の中で禁煙トレーニングをするので後々になっても禁煙意欲を持続しやすいからである。
【０００８】
濃縮酸素を使用するのは、たばこに含まれる様々な毒素を、少しでも早く体外へ出やすくするためである。つまり時間を縮めるためである。
【発明の効果】
【０００９】
本発明のトレーニングルームは、自ら望んで自分自身の禁煙意欲を持続しつつ数日間を過ごす為、禁煙達成に大きく近づくという特徴がある。
【発明を実施するための最良の形態】
【００１０】
同時期に禁煙希望者が複数人いるほうが、同じ目的を持つ者どうし、互いに禁煙意欲の持続を励ましあうことができる。
【実施例１】
【００１１】
既存の施設やマンション、又は一戸建ての住宅などを利用し、これに充てることができる。
【産業上の利用可能性】
【００１２】
２００８年現在、WHOにも取り上げられるように世界的に禁煙の必要性が認められ、公共での屋内１００パーセント全面禁煙などの国々も少なくない。本発明は今後、禁煙はしたいが成功できるかどうかは難しい、という人にぜひお勧めしたい。
(57)【要約】      （修正有）【課題】地球温暖化の原因の一つとして二酸化炭素の排出を抑制する装置を提供する。【解決手段】貝殻を焼き粉砕した粉体１を水・触媒に混合させ、その溶液の中を、燃焼時に排出される二酸化炭素を含む排ガス３を通過させることで、化学変化・反応をおこさせ、二酸化炭素を除去・減少させる装置。ここで、貝殻は廃棄物として野積されているものを焼成し、粉末化し、上記の化学反応をさせることで無害な二酸化カルシウムを生産することができ、廃棄物処理の点で優れている。【選択図】図１
2010173909.tif 000002
【特許請求の範囲】
【請求項１】
貝殻を焼き粉砕した粉体を水・触媒に混合させ、その溶液の中を二酸化炭素を含むガスを通過させることで化学変化をおこさせ二酸化炭素を除去する装置
【化１】
2010173909.tif 000003
【発明の詳細な説明】
【先行技術文献】
【非特許文献】
【０００１】
【非特許文献１】非特許文献ｎ
【図面の簡単な説明】
【０００２】
【図１】二酸化炭素除去の実施方法を示した説明図である。
【符号の説明】
【０００３】
１    貝殻を焼き粉砕した粉体の水溶液
２    二酸化炭素により化学反応した水溶液
３    二酸化炭素を含むガス
４    二酸化炭素処理後ガス
５    泡状にて化学反応中
【図１】
2010173909.tif 000004
(57)【要約】      （修正有）【課題】ムキ肌が悪い単板のように凹部を有する基材であっても、接着剤を凹部に確実に塗布することができ、基材全体の塗布量が過剰とならない接着剤塗布方法を提供する。【解決手段】オーバーフローコーターやロールコーターなどの第一の塗布手段２によって、合板、ＬＶＬまたはＬＶＢ製造用単板１に接着剤を基材の凹部まで達するような量を塗布後、第二の塗布手段として基材の進行方向と同方向に回転する塗布ロール３によって接着剤を塗布することにより、合板、ＬＶＬまたはＬＶＢを製造する。【選択図】図１
2010082557.tif 000002
【特許請求の範囲】
【請求項１】
第一の塗布手段によって基材に接着剤を塗布後、第二の塗布手段として基材の進行方向と同方向に回転する塗布ロールによって接着剤を塗布することを特徴とする接着剤塗布方法。
【請求項２】
前記基材が合板、ＬＶＬまたはＬＶＢ製造用単板であることを特徴とする請求項１記載の接着剤塗布方法。
【請求項３】
請求項１または２記載の接着剤塗布方法を用いて製造された合板、ＬＶＬまたはＬＶＢ。
【発明の詳細な説明】
【技術分野】
【０００１】
本発明はムキ肌が悪い単板のように凹部を有する基材であっても、接着剤を凹部に確実に塗布することができ、基材全体の塗布量が過剰とならない接着剤塗布方法に関する。圧締圧力や圧締時間を増加することなく合板の材料として使用することを可能とする接着剤塗布方法に関する。
【背景技術】
【０００２】
合板、ＬＶＬ（単板積層材）、ＬＶＢ（単板積層板）は原木をロータリーレーサーなどで薄く切削した単板に接着剤を塗布し、これを積層圧締することによって得られる汎用的な建築材料である。原木としては東南アジア諸国からラワンなどの広葉樹が輸入されて用いられてきたが、過剰伐採が問題となったことからこれらの国から原木を入手することが困難となり、代わりにロシア産のカラ松などの針葉樹が使用されるようになっている。
【０００３】
一部の針葉樹材は堅いため、原木をスムーズに切削することが困難であり、単板の表面が凹凸状になりやすい（ムキ肌が悪い）。このようなムキ肌が悪い単板を使用して合板を製造した場合、凹部には接着剤が十分に塗布されないため接着不良が発生しやすくなるが、ムキ肌の悪い単板を選別することは困難であるし、歩留まりが低下することになるため、ムキ肌が悪い単板を使いこなす必要がある。
【０００４】
ムキ肌が悪い単板への対処方法として、圧締時間や圧締圧力を増加することにより凹凸をつぶす方法が挙げられるが、製品厚みが減少してしまうため歩留まりの低下が問題となる。また、単板の凹部まで接着剤を行き渡らせるために単に塗布量を増やした場合、全体として接着剤が過剰となり、通常の圧締条件では接着剤が未硬化となり、接着不良となるなどの問題があった。
【０００５】
特許文献１には、凹部や孔のある基材に塗布剤を塗布加工する装置が開示されている。該装置は塗料などを微量塗布するには有効であるが、接着剤を片面当たり１００〜３００ｇ／ｍ2程度塗布することはできなかった。また、特許文献２および３には、単板の任意箇所へ他の面より接着剤を多く塗布できる接着剤塗布方法が開示されているが、単板における凹部の位置や形状は一定ではないため、単板の凹部に確実に接着剤を塗布できるわけではなかった。
【特許文献１】実公昭６２−２７２５５号公報
【特許文献２】特公昭６１−４７５８６号公報
【特許文献３】特公昭６２−１８０３号公報
【発明の開示】
【発明が解決しようとする課題】
【０００６】
本発明は前記課題に鑑みてなされたものであり、ムキ肌が悪い単板のように凹部を有する基材であっても、接着剤を凹部に確実に塗布することができ、基材全体の塗布量が過剰とならない接着剤塗布方法を提供するものである。
【課題を解決するための手段】
【０００７】
本発明は第一の塗布手段によって基材に接着剤を塗布後、第二の塗布手段として基材の進行方向と同方向に回転する塗布ロールによって接着剤を塗布することを特徴とする接着剤塗布方法である。
【発明の効果】
【０００８】
本発明の接着剤塗布方法により、ムキ肌が悪い単板のように凹部を有する基材であっても、接着剤を凹部に確実に塗布することができ、基材全体の塗布量が過剰とならない。例えば、合板製造用単板の中にムキ肌の悪いものが混入していても、圧締圧力や圧締時間を増加することなく通常の圧締条件で接着することができる。
【発明を実施するための最良の形態】
【０００９】
本発明の接着剤塗布方法は、まず第一の塗布手段によって基材に接着剤を塗布する。第一の塗布方法は特に限定されないが、オーバーフローコーターやロールコーターなど、接着剤が基材の凹部まで達するような量の塗布ができる手段が好ましい。また、第一の塗布において片面だけではなく両面に塗布してもよいし、両面に塗布する場合にそれぞれの面への塗布方法が異なってもよい。
【００１０】
第一の塗布により、最終的に必要な塗布量以上に接着剤を塗布しておくことが好ましい。基材が合板、ＬＶＬまたはＬＶＢ製造用単板の場合、片面当たり１００〜３００ｇ／ｍ2程度塗布することが好ましい。
【００１１】
前記第一の塗布後、第二の塗布を行うことを特徴とする。第二の塗布手段として基材の進行方向と同方向に回転する塗布ロールを用いる必要がある。第二の塗布ロールにより、第一の塗布によって塗布された接着剤が凹部には十分に残留し、その他の部位の余剰接着剤は取り除かれるため、基材全体の塗布量が最適化される。なお、基材の進行方向と逆方向に回転する塗布ロールを用いた場合、第一の塗布によって塗布された接着剤が必要以上に取り除かれることにより、十分な接着力が得られないため好ましくない。
【実施例】
【００１２】
以下、本発明の接着剤塗布方法の例に基づいて具体的に説明する。図１において２および２´は第一の塗布手段となる塗布ノズルである。図１では省略されているが、２および２´はそれぞれ接着剤のサービスタンクに接続されており、通過する単板に十分な接着剤を塗布する。３および３´は第二の塗布手段となる塗布ロールであり、それぞれ基材の進行方向と同方向に回転する。
【図面の簡単な説明】
【００１３】
【図１】接着剤塗布方法の模式図
【符号の説明】
【００１４】
１    単板
２    塗布ノズル
２´  塗布ノズル
３    塗布ロール
３´  塗布ロール
【図１】
2010082557.tif 000003